【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
直交周波数分割多重伝送方式(OFDM伝送方式)により通信するOFDM通信システムにおける受信機の伝搬路推定方法において、
伝搬路のインパルス応答群を推定し、
該インパルス応答群のうち予め定めた閾値以上のインパルス応答を選択し、
該選択されたインパルス応答における最大ピークの前後所定数のサンプル以外を所定値に置き換え、
前記置き換えにより得られたインパルス応答を用いて伝搬路を推定する、
ことを特徴とするOFDM伝搬路推定方法。
【請求項２】
直交周波数分割多重伝送方式(OFDM伝送方式)により通信するOFDM通信システムにおける受信機の伝搬路推定方法において、
伝搬路のインパルス応答群を推定し、
該伝搬路インパルス応答群のうち予め定めた閾値以上の伝搬路インパルス応答(CIR)を選択し、
該選択されたCIRを要素とするCIR推定ベクトル
2006054840.tif 000001
、OFDM変調に用いるIFFTのポイント数Ｎと実際の伝送に用いるサブキャリア数Ｎｃとに基づいて決まる行列Ｓ、および伝搬路応答ベクトル
2006054840.tif 000002
を用いて行列式を生成し、
該行列式を解くことにより前記伝搬路応答ベクトルを求める、
ことを特徴とするOFDM伝搬路推定方法。
【請求項３】
前記行列式を生成するステップは、雑音電力ベクトル
2006054840.tif 000003
を考慮して前記行列式を
【数１】
2006054840.tif 000004
として生成し、該行列式より前記伝搬路応答ベクトルを求める、
ことを特徴とする請求項２記載のOFDM伝搬路推定方法。
【請求項４】
直交周波数分割多重伝送方式(OFDM伝送方式)により通信するOFDM通信システムにおける受信機の伝搬路推定装置において、
伝搬路のインパルス応答(CIR)群を推定するCIR推定部、
該インパルス応答群のうち予め定めた閾値以上のインパルス応答を選択し、該選択されたインパルス応答における最大ピークの前後所定数のサンプル以外を所定値に置き換える有効インパルス判定部、
前記の有効インパルス応答を用いて伝搬路を推定する伝搬路推定部、
を有することを特徴とする伝搬路推定装置。
【請求項５】
直交周波数分割多重伝送方式(OFDM伝送方式)により通信するOFDM通信システムにおける受信機の伝搬路推定装置において、
伝搬路のパルス応答(CIR)群を推定するCIR推定部、
該伝搬路インパルス応答群のうち予め定めた閾値以上の伝搬路インパルス応答(CIR)を
選択する有効インパルス判定部、
前記選択されたCIRを用いて伝搬路を推定する伝搬路推定部を備え、
該伝搬路推定部は、前記選択されたCIRを要素として含むCIR推定ベクトル
2006054840.tif 000005
、OFDM変調に用いるIFFTのポイント数Ｎと実際の伝送に用いるサブキャリア数Ｎｃとに基づいて決まる行列Ｓ、および伝搬路応答ベクトル
2006054840.tif 000006
を用いて行列式を生成し、該行列式を解くことにより前記伝搬路応答ベクトルを求めて伝搬路を推定する、
ことを特徴とする伝搬路推定装置。
【請求項６】
直交周波数分割多重伝送方式(OFDM伝送方式)により通信するOFDM通信システムにおける受信機の伝搬路推定方法において、
伝搬路の周波数領域におけるインパルス応答を推定し、
該推定したインパルス応答をＭ倍オーバサンプリングし（Mは１以上の整数）、
該Ｍ倍オーバサンプリングしたインパルス応答を時間領域に変換し、
該時間領域のインパルス応答のうち予め定めた閾値以上のインパルス応答を選択し、
該選択されたインパルス応答における最大ピークの前後所定数のサンプル以外を所定値に置き換え、
前記置き換えにより得られたインパルス応答を用いて伝搬路の時間応答を推定し、
該推定した時間応答を周波数領域に変換した後、Ｍ倍ダウンサンプリングして伝搬路を推定する、
ことを特徴とするOFDM伝搬路推定方法。
【請求項７】
直交周波数分割多重伝送方式(OFDM伝送方式)により通信するOFDM通信システムにおける受信機の伝搬路推定方法において、
伝搬路の周波数領域におけるインパルス応答を推定し、
該推定したインパルス応答をＭ倍オーバサンプリングし（Mは１以上の整数）、
該Ｍ倍オーバサンプリングしたインパルス応答を時間領域に変換し、
該時間領域のインパルス応答のうち予め定めた閾値以上のインパルス応答を選択してインパルス応答ベクトルを生成し、
OFDM変調に用いるIFFTのポイント数Ｎの整数倍Ｍ×Ｎと実際の伝送に用いるサブキャリア数Ｎｃとに基づいた時間応答関数に従う時間応答関数行列を作成し、その逆行列を前記インパルス応答ベクトルに乗算して伝搬路の時間応答を推定し、
該推定した時間応答を周波数領域に変換した後、Ｍ倍ダウンサンプリングして伝搬路を推定する、
ことを特徴とするOFDM伝搬路推定方法。
【請求項８】
直交周波数分割多重伝送方式(OFDM伝送方式)により通信するOFDM通信システムにおける受信機の伝搬路推定装置において、
伝搬路の周波数領域におけるインパルス応答を推定するインパルス応答推定部、
該推定したインパルス応答をＭ倍オーバサンプリング（Mは１以上の整数）するオーバサンプリング部、
該Ｍ倍オーバサンプリングしたインパルス応答を時間領域に変換する逆フーリエ変換部、
該時間領域のインパルス応答のうち予め定めた閾値以上のインパルス応答を選択する有効インパルス判定部、
該選択されたインパルス応答における最大ピークの前後所定数のサンプル以外を所定値に置き換えて伝搬路の時間応答を推定する推定部、
該推定した伝搬路の時間応答を周波数領域に変換する逆フーリエ変換部、
該周波数領域の時間応答をＭ倍ダウンサンプリングして伝搬路を推定する伝搬路推定部、
を備えたことを特徴とする伝搬路推定装置。
【請求項９】
直交周波数分割多重伝送方式(OFDM伝送方式)により通信するOFDM通信システムにおける受信機の伝搬路推定装置において、
伝搬路の周波数領域におけるインパルス応答を推定するインパルス応答推定部、
該推定したインパルス応答をＭ倍オーバサンプリング（Mは１以上の整数）するオーバサンプリング部、
該Ｍ倍オーバサンプリングしたインパルス応答を時間領域に変換する逆フーリエ変換部、
該時間領域のインパルス応答のうち予め定めた閾値以上のインパルス応答を選択してインパルス応答ベクトルを生成する有効インパルス判定部、
OFDM変調に用いるIFFTのポイント数Ｎの整数倍Ｍ×Ｎと実際の伝送に用いるサブキャリア数Ｎｃとに基づいた時間応答関数を用いて時間応答関数行列を作成し、その逆行列を前記インパルス応答ベクトルに乗算して伝搬路の時間応答を推定する伝搬路時間応答推定部、
該推定した伝搬路時間応答を周波数領域に変換するフーリエ変換部、
該周波数領域の伝搬路時間応答をＭ倍ダウンサンプリングして伝搬路を推定する手段、
を備えたことを特徴とする伝搬路推定装置。
【請求項１０】
ＣＤＭＡ通信システムにおけるレーク受信機のパスサーチャにおいて、
伝搬路のインパルス応答(CIR)群を推定するCIR推定部、
該伝搬路インパルス応答群のうち予め定めた閾値以上の伝搬路インパルス応答(CIR)を選択する有効インパルス判定部、
該CIRを用いて伝搬路を推定する伝搬路推定部を備え、
該伝搬路推定部は、前記選択されたCIRを要素として含むCIR推定ベクトル
2006054840.tif 000007
、ローパスフィルタのインパルス応答により決まる行列Ｓ、および伝搬路応答ベクトル
2006054840.tif 000008
を用いて行列式を生成し、該行列式を解くことにより前記伝搬路応答ベクトルを求めて伝搬路をサーチする、
ことを特徴とするパスサーチャ。